(57)【要約】【課題】  差込み便器の汚損を防止することができる吸収シートを提供する。【解決手段】  差込み便器２に装着される吸収シート１００であって、凹部３の開口を覆うように配設された、水分を吸収する第１覆い部３３と、第１覆い部３３に連なり、差込み案内部４の上部を覆うように配設された、水分を吸収する第２覆い部３４と、第１覆い部３３および第２覆い部３４の挿入方向に垂直な幅方向の両側部に連なり、第１覆い部３３および第２覆い部３４に重なって配設される一対の重なり部１６と、を備え、各重なり部１６の挿入方向下流側の端部と第２覆い部３４の挿入方向下流側の端部とが接合されており、一対の重なり部１６は、差込み便器２に装着された状態で、挿入方向下流側の端部から挿入方向上流側に向かって互いに離れて、差込み便器２の両側部を巻き込むように覆う。【選択図】    図１
2019022546.tif 000002
【特許請求の範囲】
【請求項１】
支持面と、前記支持面に仰臥する使用者との間に挿入して、使用者の排泄物を回収するために用いられる差込み便器であって、排泄物を収容するための凹部と、前記凹部から挿入方向に突出する先細状の差込み案内部とを有する差込み便器に装着される吸収シートであって、
前記凹部の開口を覆うように配設された、水分を吸収する第１覆い部と、
前記第１覆い部に連なり、前記差込み案内部の上部を覆うように配設された、水分を吸収する第２覆い部と、
前記第１覆い部および前記第２覆い部の前記挿入方向に垂直な幅方向の両側部に連なり、前記第１覆い部および前記第２覆い部に重なって配設される一対の重なり部と、を備え、
前記各重なり部の挿入方向下流側の端部と、前記第２覆い部の挿入方向下流側の端部とが接合されており、
前記一対の重なり部は、前記差込み便器に装着された状態で、前記挿入方向下流側の端部から前記挿入方向上流側に向かって互いに離れて、前記差込み便器の両側部を巻き込むように覆うことを特徴とする吸収シート。
【請求項２】
前記第１覆い部には、前記第１覆い部を前記凹部の底面に着脱可能に接合する第１の接合部が設けられていることを特徴とする請求項１に記載の吸収シート。
【発明の詳細な説明】
【技術分野】
【０００１】
本発明は、ベッドパンなどとも称される差込み便器に装着して用いられる吸収シートに関する。
【背景技術】
【０００２】
介助を必要とする者が上体を起こすことができる場合には、簡易トイレを使用して用を足すことができるが、上体を起こすことができない場合には、簡易トイレを使用することができず、使い捨ておむつが使用される場合がある。使い捨ておむつの使用は、排泄物が使用者の肌に直接触れるので、使用者にとって不快であり、また、かぶれ等の原因になる。
【０００３】
排泄物が使用者の肌に触れることによる不快感を軽減するために、差込み便器である樹脂製の排便用容器を使用することがある。排便用容器には、排泄物を収容する窪みが設けられている。このような排便用容器を使用するに際しては、介助者が、仰臥している使用者の膝を曲げ、あるいは使用者を横向きにさせて、使用者の腰部を浮かせて、使用者の腰部と、使用者が寝ている支持面との間に隙間を設け、この隙間に排便用容器を挿し入れる。使用者の排便が終わると、介助者は、使用者の腰部と支持面との間から排便用容器を引き出し、回収した便を処分した後、便が処分された排便用容器を洗浄、殺菌する（たとえば、特許文献１参照）。
【０００４】
前記排便用容器は、使用者の肌が該排便用容器に直接触れるだけでなく、介助者が直接手に取って持ち運ぶので、使用後の排便用容器の洗浄作業および殺菌作業を確実に行なわなければならず、排便用容器の取り扱いに注意を要し、多くの手間と労力とを要する。
【０００５】
このような従来技術の問題点を解決するために、他の従来技術では、上記排便用容器などの差込み便器に吸収シートを装着し、差込み便器を吸収シートとともに、ベッドなどの支持面に仰臥する使用者と支持面との間に挿入し、使用者の排泄が終わると、使用後の吸収シートは差込み便器から取外し、取外した吸収シートを汚物用容器または汚物用袋などに収容して処分し、差込み便器の汚損を防止している。
される。
【先行技術文献】
【特許文献】
【０００６】
【特許文献１】実開平６−６３０２０号公報
【発明の概要】
【発明が解決しようとする課題】
【０００７】
上記のように吸収シートを差込み便器に装着する構成であったとしても、差込み便器に装着された吸収シートが、ずれたり、差込み案内部から外れたりすることがある。吸収シートが、ずれたり、差込み便器から外れたりすると、排泄物を吸収シートの所定の位置に収容することができず、排泄物が差込み便器に付着して汚損してしまうおそれがある。
【０００８】
本発明の目的は、差込み便器の汚損を防止することができる吸収シートを提供することである。
【課題を解決するための手段】
【０００９】
本発明は、支持面と、前記支持面に仰臥する使用者との間に挿入して、使用者の排泄物を回収するために用いられる差込み便器であって、排泄物を収容するための凹部と、前記凹部から挿入方向に突出する先細状の差込み案内部とを有する差込み便器に装着される吸収シートであって、
前記凹部の開口を覆うように配設された、水分を吸収する第１覆い部と、
前記第１覆い部に連なり、前記差込み案内部の上部を覆うように配設された、水分を吸収する第２覆い部と、
前記第１覆い部および前記第２覆い部の前記挿入方向に垂直な幅方向の両側部に連なり、前記第１覆い部および前記第２覆い部に重なって配設される一対の重なり部と、を備え、
前記各重なり部の挿入方向下流側の端部と、前記第２覆い部の挿入方向下流側の端部とが接合されており、
前記一対の重なり部は、前記差込み便器に装着された状態で、前記挿入方向下流側の端部から挿入方向上流側に向かって互いに離れて、前記差込み便器の幅方向の両側部を巻き込むように覆うことを特徴とする吸収シートである。
【００１０】
また、本発明の吸収シートは、前記第１覆い部には、前記第１覆い部を前記凹部の底面に着脱可能に接合する接合片部が設けられていることを特徴とする。
【発明の効果】
【００１１】
本発明によれば、差込み便器に吸収シートが装着されると、差込み案内部が第２覆い部と各重なり部との間に差込まれ、差込み案内部が、各重なり部の挿入方向下流側の端部と第２覆い部の挿入方向下流側の端部との接合部を押圧し、これによって、第１覆い部が開口部を覆った状態を保ちながら、各重なり部が、凹部によって外側方へ押し開かれる。各重なり部の幅方向の両側部は、第１および第２覆い部に連なっているので、凹部の幅および厚さに応じて、各重なり部は接合部が拘束された状態で、互いに離反する方向に凹部の表面に沿って開口側へ移動し、差込み便器の幅方向の両側部を外部へ露出させずに巻き込むように覆うことができ、これによって、差込み便器の汚損を防止することができる。
【００１２】
また、本発明によれば、第１覆い部が、接合片によって凹部の底面に接合されているので、差込み便器に装着されている吸収シートに使用者または支持面などが接触しても、前記第１覆い部が前記凹部の底面からずれることが防がれる。これによって、吸収シートが所定の位置に装着された状態で、差込み便器を使用者と支持面との間に容易かつ確実に挿入し、または抜き取ることができる。
【図面の簡単な説明】
【００１３】
【図１】本発明の第１実施形態の吸収シート１００が差込み便器２に装着された状態を示す斜視図である。
【図２】吸収シート１００が差込み便器２に装着された状態の平面図である。
【図３】図１の切断面線Ｈ−Ｈから見た断面図である。
【図４】差込み便器２の斜視図である。
【図５】吸収シート１００を展開した状態の平面図である。
【図６】図５の切断面線Ａ−Ａから見た断面図である。
【図７】吸収シート１００の底面図である。
【図８】図７の切断面線Ｂ−Ｂから見た断面図である。
【図９】図２の切断面線Ｃ−Ｃの端面図である。
【図１０】図２の切断面線Ｄ−Ｄの端面図である。
【図１１】図２の切断面線Ｅ−Ｅの端面図である。
【図１２】吸収シート１０１の底面図である。
【図１３】図１２の切断面線Ｆ−Ｆから見た断面図である。
【図１４】吸収シート１０２の底面図である。
【図１５】図１４の切断面線Ｇ−Ｇから見た断面図である。
【図１６】本発明の第２実施形態の吸収シート１００が差込み便器２に装着された状態を示す斜視図である。
【発明を実施するための形態】
【００１４】
図１は、本発明の第１実施形態の吸収シート１００が差込み便器２に装着された状態を示す斜視図である。図２は、吸収シート１００が差込み便器２に装着された状態の平面図である。図３は、図１の切断面線Ｈ−Ｈから見た断面図である。図４は差込み便器２の斜視図である。図５は、吸収シート１００を展開した状態の平面図である。図６は、図５の切断面線Ａ−Ａから見た断面図である。図７は、吸収シート１００の底面図である。図８は、図７の切断面線Ｂ−Ｂから見た断面図である。図９は、図２の切断面線Ｃ−Ｃの端面図である。図１０は、図２の切断面線Ｄ−Ｄの端面図である。図１１は、図２の切断面線Ｅ−Ｅの端面図である。
【００１５】
吸収シート１００は、仰臥する使用者を支持するベッドまたは布団などに敷設された布シーツ、防水シートなどの略水平な支持面と、支持面に仰臥する使用者との間に挿入して、使用者の排泄物を回収するために用いられる差込み便器２に装着される。差込み便器２は、ポリエチレン（ＰＥ）、ポリプロピレン（ＰＰ）などのポリオレフィン系樹脂、ポリエチレン−テレフタレート（ＰＥＴ）などのポリエステル系樹脂で一体成形されるが、これに限定されるものではなく、ステンレス鋼などの金属板をプレス成型した成形品を用いることもできる。
【００１６】
差込み便器２には、上方に開口し排泄物を収容するための凹部３が形成され、さらに差込み便器２の挿入方向Ｘの先端部に、支持面と支持面に仰臥する使用者との間に挿入する差込み案内部４が設けられている。差込み便器２の挿入方向Ｘの後端部には、差込み便器２を持ち運ぶための把持部５が設けられている。把持部５は凹部３の周縁部６の後端部に設けられている。
【００１７】
差込み便器２の上面７は、仮想水平面上に載置した該差込み便器２を側方から見たとき、挿入方向Ｘの後端部から挿入方向Ｘの先端部に向かって斜め下方に傾斜しており、差込み案内部４は、挿入方向Ｘの後端部に比べて、上下方向の厚みｔが小さくなるように形成されている。差込み便器２は、平面視で、挿入方向Ｘの先端部に向かって凸に湾曲して幅細状に形成されている。
【００１８】
差込み案内部４の挿入方向Ｘの長さｕは、７５ｍｍ以上１５０ｍｍ未満とされている。差込み案内部４の挿入方向Ｘの長さｕが７５ｍｍ未満であると、差込み案内部４が短いので、支持面と支持面に仰臥する使用者との間に差込み案内部４を差し込みにくく、支持面と支持面に仰臥する使用者との間に、差込み便器２の凹部３を位置させにくくなる。
【００１９】
差込み便器２の挿入方向Ｘの全長を一定とした場合、差込み案内部４の挿入方向Ｘの長さｕ（図４参照）が１５０ｍｍ以上であると、凹部３の開口部１０の挿入方向Ｘの長さが減少してしまい、使用時に充分な開口面積を確保できず、好ましくない。
【００２０】
吸収シート１００の構成としては、表面シート１ｂと裏面シート１ｃとの間に吸収体１ａが介在されており、平面視で差込み便器２よりも幅および長さが大きく、たとえば６００ｍｍ×４００ｍｍの長方形に形成され、表面シート１ｂの周縁部と裏面シート１ｃの周縁部とが熱シールまたはホットメルトシールによって接合されている。
【００２１】
表面シート１ｂは、可撓性かつ液透過性のシートであればよく、たとえば合成繊維からなる不織布、織布などの他、多孔性プラスチックフィルムなどを用いて形成することができる。不織布および織布の構成繊維としては、ポリプロピレン、ポリエチレン、ポリエステル、ナイロンなどの単繊維、またはポリエステル、ポリプロピレン、ポリエチレン、ナイロンなどの２成分以上からなる複合繊維などであり、ポリエステルとポリエチレンとの複合繊維、ポリプロピレンとポリエチレンとの複合繊維などが強度の面から好ましい。
【００２２】
裏面シート１ｃは、可撓性かつ液不透過性のシートなどを用いて形成することができる。具体的には、裏面シート１ｃは、ポリエチレンなどの液不透過性フィルム、液不透過性フィルムと不織布あるいは織布を貼り合わせた素材などを用いて形成することができる。また、液体を透過させない程度の多数の微小な透孔を設けたポリエチレン製フィルム、熱可塑性樹脂にフィラーを加えて延伸した透湿性のあるフィルム、あるいはこれらのフィルムの外側に不織布、織布を貼り合わせた複合シートを用いて裏面シート１ｃを形成してもよい。
【００２３】
吸収体１ａは、たとえば綿状粉砕されたフラッフ状繊維と、尿などの液体を吸収し、ゲル状に凝固させる吸収性ポリマとが混合された吸収層を有し、その厚み方向の両側にティッシュを積層することによってシート状に形成される。吸収性ポリマは、たとえばデンプン‐アクリル酸（塩）グラフト共重合体のケン化物、ナトリウムカルボキシメチルセルロースの架橋物、アクリル酸（塩）重合体などを用いることできる。
【００２４】
吸収シート１００は、凹部３の開口部１０を覆うように配設された、水分を吸収する第１覆い部３３と、第１覆い部３３の挿入方向下流側に連なり、差込み案内部４の上部を覆うように配設された、水分を吸収する第２覆い部３４と、第１覆い部３３および第２覆い部３４の挿入方向Ｘに垂直な幅方向の両側に、第１覆い部３３および第２覆い部３４に重なって配設される重なり部１６と、を備えている。
【００２５】
第１覆い部３３および第２覆い部３４と、重なり部１６とは、挿入方向Ｘに平行に延びる繋ぎ部１７によって連なり、重なり部１６の挿入方向下流側の端部には、重なり部１６が第２覆い部３４の挿入方向下流側の端部に、たとえば熱シールまたはホットメルトシールによって接合される接合部１８が設けられる。吸収シート１００は、差込み案内部４が接合部１８に当接した状態で差込み便器２に装着される。
【００２６】
吸収シート１００が装着されると、図９に示すように、重なり部１６は、差込み便器２の差込み案内部４近傍では、差込み案内部４を覆っており、挿入方向下流側の端部から挿入方向上流側に向かって互いに離反する方向に拡開している。重なり部１６は、図１０に示すように、差込み便器２の凹部３の近傍では、凹部３の周縁部６を包み込み、あるいは図１１に示すように、差込み便器２の幅方向に広がり、差込み便器２の両側部を巻き込むように覆う。重なり部１６は、差込み便器２の周縁部６を外部へ露出させないので、差込み便器２の汚損を防止することができる。
【００２７】
図１２は、吸収シート１０１の底面図であり、図１３は、図１２の切断面線Ｆ−Ｆから見た断面図である。図１４は、吸収シート１０２の底面図であり、図１５は、図１４の切断面線Ｇ−Ｇから見た断面図である。差込み便器２によって、差込み便器２の幅は異なるが、吸収シートの幅を調整することによって、これらの差込み便器２に対応することができる。図７および図８に示すように、吸収シート１００では、吸収シート１００の重なり部１６同士が、挿入方向Ｘと垂直な幅方向に隙間を設けた状態で第２覆い部３４に接合されているが、図１２および図１３に示すように、吸収シート１０１の重なり部１９同士が隣り合わせに接触した状態で第２覆い部３４に接合することができる。あるいは図１４および図１５に示すように、吸収シート１０２の重なり部２０同士が重なった状態で第２覆い部３４に接合することができる。
【００２８】
図１６は、本発明の第２実施形態の吸収シート１００が差込み便器２に装着された状態を示す斜視図である。吸収シート１００の第１覆い部３３の裏面には、差込み便器２の凹部３の底面４３に着脱可能に接合する接合片４２が設けられている。このような接合片４２は、両面粘着シートによって実現されてもよい。
【００２９】
差込み便器２を、支持面と支持面に仰臥する使用者との間に挿入するとき、吸収シート１００が使用者または支持面に接触すると、第１覆い部３３が挿入方向Ｘに対して差込み便器２の後方側に引っ張られる。また差込み便器２を、支持面と使用者との間から引き出すとき、吸収シート１００が使用者または支持面に接触すると、第１覆い部３３が差込み便器２の挿入方向Ｘに摩擦力を受けるが、このような摩擦力により凹部３から第１覆い部３３が浮き上がり、あるいはずれることを防止することができる。接合片４２は着脱可能であるので、凹部３に収容された排泄物を処理する場合には、接合片４２を凹部３から剥がして、排泄物を吸収シート１００とともに簡単に処理することができる。接合片４２は１つに限定されるものではなく、複数の接合片４２を設けてもよい。
【００３０】
これによって、吸収シート１００が、差込み便器２に対して、挿入方向Ｘ、または該挿入方向Ｘと垂直な幅方向に、容易に移動することを規制して、第１覆い部３３が凹部３の開口からずれてしまうことを防ぐことができる。差込み便器２に排泄物が付着して差込み便器２を汚損してしまうという不具合を防止し、汚損した差込み便器２の洗浄および殺菌に要する手間および労力を軽減し、排泄物を処分する作業を簡素化および迅速化することができる。
【００３１】
本実施形態においては、各重なり部の挿入方向下流側の端部と、第２覆い部３４の挿入方向下流側の端部とは、全長が連続して接合されてもよく、あるいは、一定の間隔をあけて複数個所が接合されてもよい。
【００３２】
ベッドまたは布団などに敷設された支持面である布シーツ、防水シートなどは、吸収シート１００に対して高い摩擦係数を有するので、吸収シート１００は差込み便器２に対してずれやすいが、吸収シート１００の第２覆い部３４と重なり部１６との間に差込み案内部４が挿入されているので、支持面に吸収シート１００が摺接しても、差込み便器２から吸収シート１００が外れてしまうことを防止することができる。また、使用者が床ずれを起こしている場合でも、床ずれの部分には吸収シート１００の表面シート１ｂが当接するので、床ずれの部分を強く圧迫することなく差込み便器２を差込むことができる。
【００３３】
便器やポータブルトイレなどであれば、洗浄機を使用しないので、洗浄および消毒をする場合に、介助者が、便器やポータブルトイレなどを、水を流しながら洗剤で洗浄した後、たとえば濃度が１０００ｐｐｍの次亜塩素酸ナトリウム溶液に３０分程度浸漬して消毒している。そのため、介助者は、次亜塩素酸に晒される危険性があるが、本実施形態のように、差込み便器２に吸収シート１００を装着して使用するので、差込み便器２を使用する度に、差込み便器２を、高濃度の消毒液に長時間浸漬して消毒しなくてもよく、介助者が次亜塩素酸に晒される危険性が低減される。したがって、差込み便器２の洗浄および消毒に要する手間を省くことができ、差込み便器２の洗浄および消毒に費やす時間を短縮することができる。
【００３４】
上記のように、使用後の差込み便器２を高濃度の消毒液に長時間浸漬して消毒しなくてもよいので、多数の差込み便器２を準備する必要がなくなり、予め準備されるべき差込み便器２の台数を減らすことができ、コスト削減に繋がる。吸収シート１００の吸収体１ａが液状の排泄物を吸収することで、排泄物の臭いの拡散を抑えることができる。排泄物は、吸収シート１００上に収容されており、差込み便器２に直接触れないので、差込み便器２がポリオレフィン系樹脂製であっても、差込み便器２に臭気物質が付着せず、便などの排泄物の臭いが発生することを防ぐことができる。
【００３５】
吸収シート１００は高い液吸収性を有しており、吸収シート１００を差込み便器２に装着することで、排泄時に、尿などの液状物の跳ね返りを抑えることができる。吸収シート１００が装着された差込み便器２では、排泄物が飛散することを防止することができ、周囲を汚損することが防がれ、院内感染が発生する危険性を低減することもできる。
【００３６】
便器やポータブルトイレなどを、熱水で洗浄および消毒する洗浄機の場合には、便器やポータブルトイレに付着した便などの排泄物を、熱水を噴射して短時間で確実に洗い落とすために、たとえば１１個もの多数の噴射ノズルを備えた高価な装置が必要となり、たとえば病院および介護施設において、洗浄機を導入するためのコストが高価になってしまう。それに対して本実施形態では、差込み便器２に吸収シート１００が装着されるので、差込み便器２を容易に処理でき、前記高価な洗浄機を導入する場合に比べて、導入コストを抑えることができる。
【００３７】
重なり部１６は、必ずしも吸収体１ａと表面シート１ｂと裏面シート１ｃとの３層構造とする必要はなく、たとえば表面シート１ｂと裏面シート１ｃとの２層構造とすることができ、あるいは表面シート１ｂだけの１層構造とすることができる。
【００３８】
吸収シート１００の吸収体１ａに、抗菌剤、殺菌剤、臭い吸収剤、芳香剤などが選択的に添加されてもよい、吸収体１ａに抗菌剤または殺菌剤が添加されることによって、使用前の吸収シート１００の菌の繁殖および菌による汚染を防止することができる。また、吸収体１ａに臭い吸収剤が添加されることによって、排泄物から放出された悪臭を緩和することができる。また、吸収体１ａに芳香剤が添加されることによって、排泄物による悪臭を緩和することができる。
【００３９】
また、第１覆い部３３および第２覆い部３４は、上記のように吸収体１ａ、表面シート１ｂ、裏面シート１ｃの３層構造とし、重なり部１６は吸収体１ａを用いずに表面シート１ｂと裏面シート１ｃとの２層構造であってもよい。これによって吸収材の使用量を低減することができる。また、吸収体１ａが入っていない表面シート１ｂと裏面シート１ｃとの２層構造は、３層構造の第１覆い部３３および第２覆い部３４とは色彩、明度などが異なるので、差込み便器２の陰影を平面視において、２層構造の薄い各重なり部１６を半透過して視認することができ、これによって、差込み便器２と吸収シート１００との相対位置を容易に確認することができる。
【００４０】
上記の各実施形態では、使用者が仰臥した姿勢でベッドなどの支持面に臥した状態で排泄物を回収する場合について述べたが、本発明の他の実施形態では、横臥位、座位の姿勢においても、差込み便器２に本発明に係る吸収シート１００，１０１，１０２を装着して、排泄物の回収に用いるようにしてもよい。
【符号の説明】
【００４１】
１００，１０１，１０２  吸収シート
１ａ  吸収体
１ｂ  表面シート
１ｃ  裏面シート
２  差込み便器
３  凹部
４  差込み案内部
５  把持部
６  周縁部
７  上面
１０  開口部
１６，１９，２０  重なり部
１７  繋ぎ部
１８  接合部
３３  第１覆い部
３４  第２覆い部
４２  接合片
４３  底面
【図１】
2019022546.tif 000003
【図２】
2019022546.tif 000004
【図３】
2019022546.tif 000005
【図４】
2019022546.tif 000006
【図５】
2019022546.tif 000007
【図６】
2019022546.tif 000008
【図７】
2019022546.tif 000009
【図８】
2019022546.tif 000010
【図９】
2019022546.tif 000011
【図１０】
2019022546.tif 000012
【図１１】
2019022546.tif 000013
【図１２】
2019022546.tif 000014
【図１３】
2019022546.tif 000015
【図１４】
2019022546.tif 000016
【図１５】
2019022546.tif 000017
【図１６】
2019022546.tif 000018
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
差込み便器のための吸収シートであって、
差込み便器は、
底面と、その底面の外周縁から立ち上がる周縁部とによって上向き開口部を形成し、周縁部の上面は、挿入方向の下流に向かって斜め下方に傾斜し、排泄物を収容するための凹部と、
凹部の挿入方向の下流で開口部を覆い、周縁部の上面に連なって挿入方向の下流の先端部に向かって斜め下方に傾斜し、平面視で凹部から挿入方向の下流に突出する幅細状の差込み案内部と、
凹部における挿入方向の上流の後端部に形成される把持部とを有し、
吸収シートは、
凹部の開口部を覆うように配設され、水分を吸収する第１覆い部と、
第１覆い部に、挿入方向の下流に連なり、差込み案内部の上部を覆うように配設される第２覆い部と、
第１覆い部および第２覆い部の挿入方向に垂直な幅方向の両外側部の繋ぎ部にそれぞれ連なった幅方向の左右に一対の重なり部であって、第１覆い部および第２覆い部の下方で挿入方向に沿って延びて、第１覆い部および第２覆い部に重なる重なり部とを備え、
各重なり部の挿入方向の下流側の端部と、第２覆い部の挿入方向の下流側の端部とが、各重なり部の全幅にわたって接合されて幅方向に延びる接合部を形成し、
重なり部の幅方向に相互に近接した内側部は、接合部から挿入方向に沿う重なり部の全長にわたって幅方向に分離しており、
重なり部の幅方向に相互に近接した前記内側部は、差込み便器に装着された状態で、接合部から挿入方向の上流側に向かうにつれて幅方向に相互に離間した距離が長くなり、差込み便器の幅方向の両側部を巻き込むように覆い、
第１覆い部の挿入方向の上流の端部は、差込み便器に装着された状態で、把持部に延びることを特徴とする吸収シート。
【請求項２】
第１覆い部には、第１覆い部を凹部の底面に着脱可能に接合する接合片が設けられていることを特徴とする請求項１に記載の吸収シート。
【手続補正２】
【補正対象書類名】明細書
【補正対象項目名】０００９
【補正方法】変更
【補正の内容】
【０００９】
本発明は、
差込み便器２のための吸収シート１００（図１〜図１１、図１６の実施の形態）、１０１（図１２、図１３の実施の形態）、１０２（図１４、図１５の実施の形態）であって、
差込み便器２は、
底面４３と、その底面４３の外周縁から立ち上がる周縁部６とによって上向き開口部１０を形成し、周縁部６の上面７は、挿入方向Ｘの下流に向かって斜め下方に傾斜し、排泄物を収容するための凹部３と、
凹部３の挿入方向Ｘの下流で開口部１０を覆い、周縁部６の上面７に連なって挿入方向Ｘの下流の先端部に向かって斜め下方に傾斜し、平面視で凹部３から挿入方向Ｘの下流に突出する幅細状の差込み案内部４と、
凹部３における挿入方向Ｘの上流の後端部に形成される把持部５とを有し、
吸収シート１００、１０１、１０２は、
凹部３の開口部１０を覆うように配設され、水分を吸収する第１覆い部３３と、
第１覆い部３３に、挿入方向Ｘの下流に連なり、差込み案内部４の上部を覆うように配設される第２覆い部３４と、
第１覆い部３３および第２覆い部３４の挿入方向Ｘに垂直な幅方向の両外側部の繋ぎ部１７にそれぞれ連なった幅方向の左右に一対の重なり部１６（図１〜図１１、図１６の実施の形態）、１９（図１２、図１３の実施の形態）、２０（図１４、図１５の実施の形態）であって、第１覆い部３３および第２覆い部３４の下方で挿入方向Ｘに沿って延びて、第１覆い部３３および第２覆い部３４に重なる重なり部１６、１９、２０とを備え、
各重なり部１６、１９、２０の挿入方向Ｘの下流側の端部と、第２覆い部３４の挿入方向Ｘの下流側の端部とが、各重なり部１６、１９、２０の全幅にわたって接合されて幅方向に延びる接合部１８を形成し、
重なり部１６、１９、２０の幅方向に相互に近接した内側部は、接合部１８から挿入方向Ｘに沿う重なり部１６、１９、２０の全長にわたって幅方向に分離しており、
重なり部１６、１９、２０の幅方向に相互に近接した前記内側部は、差込み便器２に装着された状態で、接合部１８から挿入方向Ｘの上流側に向かうにつれて幅方向に相互に離間した距離が長くなり、差込み便器２の幅方向の両側部を巻き込むように覆い、
第１覆い部３３の挿入方向Ｘの上流の端部は、差込み便器２に装着された状態で、さらに把持部５に延びることを特徴とする吸収シートである。
【手続補正３】
【補正対象書類名】明細書
【補正対象項目名】００１０
【補正方法】変更
【補正の内容】
【００１０】
また、本発明の吸収シートは、第１覆い部３３には、第１覆い部３３を凹部３の底面４３に着脱可能に接合する接合片４２が設けられていることを特徴とする。
【手続補正４】
【補正対象書類名】明細書
【補正対象項目名】００１７
【補正方法】変更
【補正の内容】
【００１７】
差込み便器２の上面７は、仮想水平面上に載置した該差込み便器２を側方から見たとき、挿入方向Ｘの後端部から挿入方向Ｘの先端部に向かって斜め下方に傾斜しており、差込み案内部４は、挿入方向Ｘの後端部に比べて、上下方向の厚みｔが小さくなるように形成されている。差込み便器２は、平面視で、挿入方向Ｘの先端部に向かって凸に湾曲して幅細状に形成されている。
差込み便器２は、（ａ）底面４３と、その底面４３の外周縁から立ち上がる周縁部６とによって上向き開口部１０を形成し、周縁部６の上面７は、挿入方向Ｘの下流に向かって斜め下方に傾斜し、排泄物を収容するための凹部３と、（ｂ）凹部３の挿入方向Ｘの下流で開口部１０を覆い、周縁部６の上面７に連なって挿入方向Ｘの下流の先端部に向かって斜め下方に傾斜し（図３を参照）、平面視で凹部３から挿入方向Ｘの下流に突出する幅細状の差込み案内部４と、（ｃ）凹部３における挿入方向Ｘの上流の後端部に形成される把持部５とを有する。
【手続補正５】
【補正対象書類名】明細書
【補正対象項目名】００２７
【補正方法】変更
【補正の内容】
【００２７】
図１２は、本発明の実施の他の形態の吸収シート１０１の底面図であり、図１３は、図１２の切断面線Ｆ−Ｆから見た断面図である。図１４は、本発明の実施のさらに他の形態の吸収シート１０２の底面図であり、図１５は、図１４の切断面線Ｇ−Ｇから見た断面図である。差込み便器２によって、差込み便器２の幅は異なるが、吸収シートの幅を調整することによって、これらの差込み便器２に対応することができる。図７および図８に示すように、吸収シート１００では、吸収シート１００の重なり部１６の挿入方向Ｘと垂直な幅方向（図７、図８の上下方向）に相互に近接した内側部同士が、幅方向に隙間を設けた状態で、接合部１８から挿入方向Ｘに沿う重なり部１６の全長（図７の左右方向の全長）にわたって幅方向に分離して、接合部１８で第２覆い部３４に接合される。図１２および図１３に示すように、吸収シート１０１の重なり部１９の幅方向（図１２、図１３の上下方向）に相互に近接した内側部同士が隣り合わせに接触した状態で、接合部１８から挿入方向Ｘに沿う重なり部１９の全長（図１２の左右方向の全長）にわたって幅方向に分離して、接合部１８で第２覆い部３４に接合される。あるいは図１４および図１５に示すように、吸収シート１０２の重なり部２０の幅方向（図１４、図１５の上下方向）に相互に近接した内側部同士が重なった状態で、接合部１８から挿入方向Ｘに沿う重なり部２０の全長（図１４の左右方向の全長）にわたって幅方向に分離して、接合部１８で第２覆い部３４に接合される。
吸収シート１００（図１〜図１１、図１６の実施の形態）、１０１（図１２、図１３の実施の形態）、１０２（図１４、図１５の実施の形態）は、（ｄ）凹部３の開口部１０を覆うように配設され、水分を吸収する第１覆い部３３と、（ｅ）第１覆い部３３に、挿入方向Ｘの下流に連なり、差込み案内部４の上部を覆うように配設される第２覆い部３４と、（ｆ）第１覆い部３３および第２覆い部３４の挿入方向Ｘに垂直な幅方向の両外側部の繋ぎ部１７にそれぞれ連なった幅方向の左右に一対の重なり部１６（図１〜図１１、図１６の実施の形態）、１９（図１２、図１３の実施の形態）、２０（図１４、図１５の実施の形態）であって、第１覆い部３３および第２覆い部３４の下方で挿入方向Ｘに沿って延びて、第１覆い部３３および第２覆い部３４に重なる重なり部１６、１９、２０とを備え、（ｇ）各重なり部１６、１９、２０の挿入方向Ｘの下流側の端部と、第２覆い部３４の挿入方向Ｘの下流側の端部とが、各重なり部１６、１９、２０の全幅（すなわち、図７、図１２、図１４の上下方向の全幅）にわたって接合されて幅方向に延びる接合部１８を形成し、（ｈ）重なり部１６、１９、２０の幅方向に相互に近接した内側部は、前述のとおり、接合部１８から挿入方向Ｘに沿う重なり部１６、１９、２０の全長にわたって幅方向に分離しており、（ｉ）重なり部１６、１９、２０の幅方向に相互に近接した前記内側部は、差込み便器２に装着された状態で、接合部１８から挿入方向Ｘの上流側（図２の左方）に向かうにつれて幅方向に相互に離間した距離が長くなり（前記内側部をそれぞれ示す図２の上下の各破線を参照）、差込み便器２の幅方向の両側部を巻き込むように覆い、（ｊ）第１覆い部３３の挿入方向Ｘの上流の端部は、差込み便器２に装着された状態で、さらに把持部５に延びる。